(57)【要約】      （修正有）【課題】性行為のサポートをすることができるソファを提供する。【解決手段】振動可能なソファ１０であって、利用者の足部を配置可能な足配置部１１、足配置部に連接した座部１２、及び、座部に連接した背もたれ部１３を有するソファ本体１４と、ソファ本体に内蔵され、座部の座面を振動させる駆動部１５とを備えている。足配置部は、座部に向かって下り傾斜となる第１表面部１６と、第１表面部における幅方向に沿って形成された所定の頂部高さを有する突起部１７とを有し、座部は、第１表面部と連続して形成され背もたれ部に向かって下り傾斜となる第２表面部１８を有し、背もたれ部は、第２表面部との連接部を下側の起点とし頭部側に進むに従って高くなる第３表面部１９を有し、第３表面部の頂部高さは足配置部の所定の頂部高さよりも高い。【選択図】図１
0003231451.tif 000002
【実用新案登録請求の範囲】
【請求項１】
振動可能なソファであって、
利用者の足部を配置可能な足配置部、前記足配置部に連接した座部、及び、前記座部に連接した背もたれ部を有するソファ本体と、
前記ソファ本体に内蔵され、前記座部の座面を振動させる駆動部とを備えていることを特徴とするソファ。
【請求項２】
前記駆動部は、前記ソファ本体の内部における前記座部と前記背もたれ部の境界に配置されていることを特徴とする請求項１記載のソファ。
【請求項３】
前記駆動部は、前記座部の座面を上下方向に振動させることを特徴とする請求項１記載のソファ。
【請求項４】
前記ソファ本体は、利用者が所定角度以上開脚することにより初めて跨ぐことができる所定の幅を有し、幅方向には起伏を持たないことを特徴とする請求項１記載のソファ。
【請求項５】
前記足配置部は、前記座部に向かって下り傾斜となる第１表面部と、前記第１表面部における幅方向に沿って形成された所定の頂部高さを有する突起部とを有し、
前記座部は、前記第１表面部と連続して形成され前記背もたれ部に向かって下り傾斜となる第２表面部を有し、
前記背もたれ部は、前記第２表面部との連接部を下側の起点とし頭部側に進むに従って高くなる第３表面部を有し、前記第３表面部の頂部高さは前記足配置部の前記所定の頂部高さよりも高いことを特徴とする請求項１記載のソファ。
【請求項６】
前記ソファ本体は、表面から底面までの内部がソファ部材により充填されていることを特徴とする請求項１記載のソファ。
【請求項７】
前記ソファ本体は、利用者が少なくとも腰部及び背部をそれぞれ前記座部及び前記背もたれ部に合わせてその上に横たわることが可能な程度の長さを有することを特徴とする請求項１記載のソファ。
【請求項８】
前記駆動部を操作する操作部を備え、
前記操作部には、前記駆動部の振動を実行又は非実行とするボタン、及び、前記駆動部の振動の強度を上昇又は低下させるボタンだけが搭載されていることを特徴とする請求項１記載のソファ。
【考案の詳細な説明】
【技術分野】
【０００１】
本考案は、ソファに係り、特に、振動可能なソファに関する。
【背景技術】
【０００２】
いわゆるラブホテルの利用者は、ベッドで行うことが可能な性行為をするばかりではなく、そのような性行為よりも快楽を味わえる性行為をしたいという欲求を持つことがある。
【０００３】
この点、特許文献１は、座部及び背凭れにより構成される座椅子において、座部の前方部分に、使用者の足を屈曲した状態で上方に保持する足載部が延設されていると共に、足載部に振動装置が収容されていることを特徴とする座椅子を開示している。
【０００４】
しかしながら、このような座椅子は、マッサージをすることはできるが、性行為のサポートをすることはできない。
【先行技術文献】
【特許文献】
【０００５】
【特許文献１】特開２００５−１８５６８６号公報
【考案の概要】
【考案が解決しようとする課題】
【０００６】
そこで、本考案の課題は、性行為のサポートをすることができるソファを提供することにある。
【課題を解決するための手段】
【０００７】
上記課題達成のため、請求項１記載の考案にあっては、振動可能なソファであって、利用者の足部を配置可能な足配置部、前記足配置部に連接した座部、及び、前記座部に連接した背もたれ部を有するソファ本体と、前記ソファ本体に内蔵され、前記座部の座面を振動させる駆動部とを備えていることを特徴とする。
従って、本考案に係るソファにあっては、利用者が座っている座部の座面が振動するようになる。
【０００８】
請求項２記載の考案にあっては、前記駆動部は、前記ソファ本体の内部における前記座部と前記背もたれ部の境界に配置されていることを特徴とする。
従って、本考案に係るソファにあっては、座面の中でも背もたれ部に近い部分が振動するようになる。
【０００９】
請求項３記載の考案にあっては、前記駆動部は、前記座部の座面を上下方向に振動させることを特徴とする。
従って、本考案に係るソファにあっては、利用者の尻部及び腰部付近が上下方向に振動する。
【００１０】
請求項４記載の考案にあっては、前記ソファ本体は、利用者が所定角度以上開脚することにより初めて跨ぐことができる所定の幅を有し、幅方向には起伏を持たないことを特徴とする。
従って、本考案に係るソファにあっては、ソファ本体が、開脚して着座できる幅となっており、ソファ本体の幅方向に障害物がない。
【００１１】
請求項５記載の考案にあっては、前記足配置部は、前記座部に向かって下り傾斜となる第１表面部と、前記第１表面部における幅方向に沿って形成された所定の頂部高さを有する突起部とを有し、前記座部は、前記第１表面部と連続して形成され前記背もたれ部に向かって下り傾斜となる第２表面部を有し、前記背もたれ部は、前記第２表面部との連接部を下側の起点とし頭部側に進むに従って高くなる第３表面部を有し、前記第３表面部の頂部高さは前記足配置部の前記所定の頂部高さよりも高いことを特徴とする。
従って、本考案に係るソファにあっては、足配置部の第１表面部に頭部や足部を置く突起部を形成しつつ、足配置部から座部にかけて下り傾斜とし、座部を起点として立ち上がる背もたれ部が形成可能となる。
【００１２】
請求項６記載の考案にあっては、前記ソファ本体は、表面から底面までの内部がソファ部材により充填されていることを特徴とする。
従って、本考案に係るソファにあっては、ソファ本体がやわらかい素材により構成される。
【００１３】
請求項７記載の考案にあっては、前記ソファ本体は、利用者が少なくとも腰部及び背部をそれぞれ前記座部及び前記背もたれ部に合わせてその上に横たわることが可能な程度の長さを有することを特徴とする。
従って、本考案に係るソファにあっては、横たわることにより利用者はリラックスすることができる。
【００１４】
請求項８記載の考案にあっては、前記駆動部を操作する操作部を備え、前記操作部には、前記駆動部の振動を実行又は非実行とするボタン、及び、前記駆動部の振動の強度を上昇又は低下させるボタンだけが搭載されていることを特徴とする。
従って、本考案に係るソファにあっては、必要なボタンだけを搭載したシンプルな操作部とすることができる。
【考案の効果】
【００１５】
請求項１記載の考案にあっては、振動可能なソファであって、利用者の足部を配置可能な足配置部、前記足配置部に連接した座部、及び、前記座部に連接した背もたれ部を有するソファ本体と、前記ソファ本体に内蔵され、前記座部の座面を振動させる駆動部とを備えていることから、利用者が座っている座部の座面が振動するようになるため、利用者の尻部及び腰部付近を振動させて利用者の性行為をサポートすることができ、利用者の性行為による快楽が高まる。
【００１６】
請求項２記載の考案にあっては、前記駆動部は、前記ソファ本体の内部における前記座部と前記背もたれ部の境界に配置されていることから、座面の中でも背もたれ部に近い部分が振動するようになるため、利用者の尻部及び腰部付近をより強く振動させることができ、利用者の性行為による快楽がより一層高まる。
【００１７】
請求項３記載の考案にあっては、前記駆動部は、前記座部の座面を上下方向に振動させることから、利用者の尻部及び腰部付近が上下方向に振動するため、上下方向の振動を利用者の尻部及び腰部付近に加えることにより、利用者の性行為による快楽がより一層高まる。
【００１８】
請求項４記載の考案にあっては、前記ソファ本体は、利用者が所定角度以上開脚することにより初めて跨ぐことができる所定の幅を有し、幅方向には起伏を持たないことから、ソファ本体が、開脚して着座できる幅となっており、ソファ本体の幅方向に障害物がないため、所定の幅を有すること及び障害物がないことにより、性行為を行いやすい。
【００１９】
請求項５記載の考案にあっては、前記足配置部は、前記座部に向かって下り傾斜となる第１表面部と、前記第１表面部における幅方向に沿って形成された所定の頂部高さを有する突起部とを有し、前記座部は、前記第１表面部と連続して形成され前記背もたれ部に向かって下り傾斜となる第２表面部を有し、前記背もたれ部は、前記第２表面部との連接部を下側の起点とし頭部側に進むに従って高くなる第３表面部を有し、前記第３表面部の頂部高さは前記足配置部の前記所定の頂部高さよりも高いことから、足配置部の第１表面部に頭部や足部を置く突起部を形成しつつ、足配置部から座部にかけて下り傾斜とし、座部を起点として立ち上がる背もたれ部が形成可能となるため、利用者の尻部や腰部が座部に収まりやすく、座り心地のよいソファ本体とすることができる。
【００２０】
請求項６記載の考案にあっては、前記ソファ本体は、表面から底面までの内部がソファ部材により充填されていることから、ソファ本体がやわらかい素材により構成されるため、座り心地のよさをより一層向上させることができる。
【００２１】
請求項７記載の考案にあっては、前記ソファ本体は、利用者が少なくとも腰部及び背部をそれぞれ前記座部及び前記背もたれ部に合わせてその上に横たわることが可能な程度の長さを有することから、横たわることにより利用者はリラックスすることができるため、リラックスした状態で性行為に集中することができる。
【００２２】
請求項８記載の考案にあっては、前記駆動部を操作する操作部を備え、前記操作部には、前記駆動部の振動を実行又は非実行とするボタン、及び、前記駆動部の振動の強度を上昇又は低下させるボタンだけが搭載されていることから、必要なボタンだけを搭載したシンプルな操作部とすることができるため、性行為への集中力が低下することを回避することができる。
【図面の簡単な説明】
【００２３】
【図１】本考案に係るソファの一実施の形態における側面図である。
【図２】本考案に係るソファの一実施の形態における平面図である。
【図３】本考案に係るソファの一実施の形態における操作部を示す図である。
【図４】本考案に係るソファの一実施の形態におけるブロック図である。
【図５】本考案に係るソファの一実施の形態における第一使用方法を示す図である。
【図６】本考案に係るソファの一実施の形態における第二使用方法を示す図である。
【図７】本考案に係るソファの一実施の形態における第三使用方法を示す図である。
【図８】本考案に係るソファの一実施の形態における第四使用方法を示す図である。
【図９】本考案に係るソファの一実施の形態におけるその他の使用方法を示す図である。
【図１０】本考案に係るソファの一実施の形態におけるその他の使用方法を示す図である。
【図１１】本考案に係るソファの一実施の形態におけるその他の使用方法を示す図である。
【考案を実施するための形態】
【００２４】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１及び図２に示すように、本実施の形態に係るソファ１０は、振動可能なソファ１０であって、利用者の足部を配置可能な足配置部１１、足配置部１１に連接した座部１２、及び、座部１２に連接した背もたれ部１３を有するソファ本体１４と、ソファ本体１４に内蔵され、座部１２の座面１２ａを振動させる駆動部１５とを備えている。
従って、本実施の形態に係るソファ１０にあっては、利用者が座っている座部１２の座面１２ａが振動するようになる。なお、駆動部１５の振動強度を強くしたり、駆動部１５の振動範囲を広げたりすることで、足配置部１１や背もたれ部１３をも結果的に振動させることができる。
【００２５】
駆動部１５は、ソファ本体１４の内部における座部１２と背もたれ部１３の境界Ａに配置されている。従って、本実施の形態に係るソファ１０にあっては、座面１２ａの中でも背もたれ部１３に近い部分が振動するようになる。駆動部１５は、振動部材や振動部材を振動させるモータ等により構成される。
【００２６】
駆動部１５は、座部１２の座面１２ａを上下方向に振動させる。従って、本実施の形態に係るソファ１０にあっては、利用者の尻部及び腰部付近が上下方向に振動する。
【００２７】
ソファ本体１４は、利用者が所定角度以上開脚することにより初めて跨ぐことができる所定の幅を有し、幅方向には起伏を持たない。従って、本実施の形態に係るソファ１０にあっては、ソファ本体１４が、開脚して着座できる幅となっており、ソファ本体１４の幅方向に障害物がない。
【００２８】
足配置部１１は、座部１２に向かって下り傾斜となる第１表面部１６と、足配置部１１の先端部に設けられ、第１表面部１６における幅方向に沿って形成された所定の頂部高さを有する突起部１７とを有する。突起部１７は、断面が半円の柱状の部材である。
座部１２は、第１表面部１６と連続して形成され背もたれ部１３に向かって下り傾斜となる第２表面部１８を有する。
背もたれ部１３は、第２表面部１８との連接部Ｂを下側の起点とし利用者の頭部側に進むに従って高くなる第３表面部１９を有し、第３表面部１９の頂部高さは足配置部１１(突起部１７)の所定の頂部高さよりも高い。
従って、本実施の形態に係るソファ１０にあっては、足配置部１１の第１表面部１６に頭部や足部を置く突起部１７を形成しつつ、足配置部１１から座部１２にかけて下り傾斜とし、座部１２を起点として立ち上がる背もたれ部１３が形成可能となる。
【００２９】
ソファ本体１４は、表面から底面までの内部がソファ部材（ポリ塩化ビニル、ポリウレタン、スポンジ、羽毛、ダウン、フェザー、バネ等）により充填されている。従って、本実施の形態に係るソファ１０にあっては、ソファ本体１４がやわらかい素材により構成される。
【００３０】
ソファ本体１４は、利用者が少なくとも腰部及び背部をそれぞれ座部１２及び背もたれ部１３に合わせてその上に横たわることが可能な程度の長さを有する。従って、本実施の形態に係るソファ１０にあっては、横たわることにより利用者はリラックスすることができる。
【００３１】
本実施の形態に係るソファ１０の各部の寸法は、以下の通りである。
図１に示すように、ソファ１０の高さ方向の寸法Ｚ１は、８００ｍｍである。
足配置部１１の図中左端部の高さ方向の寸法Ｚ２は、３７０ｍｍである。
座部１２の同右端部の高さ方向の寸法Ｚ３は、３５０ｍｍである。
突起部１７の高さ方向の寸法Ｚ４は、３５ｍｍである。
【００３２】
足配置部１１の同左端部から駆動部１５の中心（座部１２の右端部）までの長さ方向の寸法Ｘ１は、１０００ｍｍである。
背もたれ部１３の右端部から背もたれ部１３の接地面までの長さ方向の寸法Ｘ２は、２５０ｍｍである。
座部１２の左端部の上端の弧Ｒ１は、半径２０ｍｍの弧である。
座部１２の左端部の下端の弧Ｒ２は、半径１００ｍｍの弧である。
背もたれ部１３の第３表面部１９の弧Ｒ３は、半径６００ｍｍの弧である。
背もたれ部１３の上端部の弧Ｒ４は、半径１７５ｍｍの弧である。
背もたれ部１３の右端部の弧Ｒ５は、半径１０００ｍｍの弧である。
【００３３】
図２に示すように、ソファ１０の長さ方向の寸法Ｘ３は、１８００ｍｍである。
突起部１７の長さ方向の寸法Ｘ４は、１２０ｍｍである。
突起部１７の右端部から駆動部１５の中心までの長さ方向の寸法Ｘ５は、７８０ｍｍである。
ソファ１０の幅方向の寸法Ｙ１は、４００ｍｍである。
【００３４】
図３に示すように、本実施の形態に係るソファ１０は、駆動部１５（図１参照）を操作する操作部２０を備えている。操作部２０は、無線通信が可能なリモコンである。
操作部２０には、駆動部１５の振動を実行又は非実行とするＯＮ・ＯＦＦボタン２１、及び、駆動部１５の振動の強度を上昇又は低下させるプラス・マイナスボタン２２だけが搭載されている。
従って、本実施の形態に係るソファ１０にあっては、必要なボタンだけを搭載したシンプルな操作部２０とすることができる。
【００３５】
図４に示すように、本実施の形態に係るソファ１０は、駆動部１５、操作部２０及び制御部２３を備えている。
制御部２３は、操作部２０からの検出信号を無線通信により受け付け、受け付けた検出信号に基づいて駆動部１５を制御する。
【００３６】
例えば、ＯＮ・ＯＦＦボタン２１のＯＮボタンが押下されることにより、操作部２０からＯＮボタン押下信号を受け付けた場合、制御部２３は、駆動部１５に対して駆動を開始する駆動開始信号を送信し、駆動開始信号を受信した駆動部１５は駆動を開始する。
また、ＯＮ・ＯＦＦボタン２１のＯＦＦボタンが押下されることにより、操作部２０からＯＦＦボタン押下信号を受け付けた場合、制御部２３は、駆動部１５に対して駆動を停止する駆動停止信号を送信し、駆動停止信号を受信した駆動部１５は駆動を停止する。
【００３７】
さらに、プラス・マイナスボタン２２のプラスボタンが押下されることにより、操作部２０からプラスボタン押下信号を受け付けた場合、制御部２３は、駆動部１５に対して駆動の強度を上昇させる強度上昇信号を送信し、強度上昇信号を受信した駆動部１５は駆動の強度を１段階上昇させる。
さらにまた、プラス・マイナスボタン２２のマイナスボタンが押下されることにより、操作部２０からマイナスボタン押下信号を受け付けた場合、制御部２３は、駆動部１５に対して駆動の強度を低下させる強度低下信号を送信し、強度低下信号を受信した駆動部１５は駆動の強度を１段階低下させる。なお、駆動部１５は、複数段階の強度で駆動可能となっている。
【００３８】
次に、本実施の形態に係るソファ１０の使用方法について説明する。
本実施の形態に係るソファ１０においては、利用者は様々な体勢による性行為を行うことができる。
図５に示すように、男性Ｍが、ソファ１０の背もたれ部１３に背中をつけて座り、女性Ｆが、男性Ｍに背中を向けて男性Ｍの上に乗ることにより、性行為を行うことができる。
また、図６に示すように、女性Ｆが、ソファ１０の背もたれ部１３に背中をつけて座り、男性Ｍが、女性Ｆと向き合うようにしてソファ１０の座部１２に座ることにより、性行為を行うことができる。
【００３９】
さらに、図７に示すように、女性Ｆが、ソファ１０の背もたれ部１３及び座部１２に腹部をつけて寝そべり、男性Ｍが、女性Ｆの背中に対して自分の体の前面側が向くようにして女性Ｆと接することにより、性行為を行うことができる。
さらにまた、図８に示すように、男性Ｍが、ソファ１０の背もたれ部１３及び座部１２に背中及び尻部をつけて寝そべり、女性Ｆが、男性Ｍと向き合うようにして男性Ｍの上に乗ることにより、性行為を行うことができる。
【００４０】
そして、図５〜図８に示すように、利用者（男性Ｍ、女性Ｆ）は、体勢（ポジション）を変えることで様々なアプローチが可能である。また、操作部２０（図３参照）を操作して、座部１２の座面１２ａに振動を加えることで更なる快楽への扉が開かれる。さらに、振動以外にも用途は様々であり、利用者は、ソファ１０の形状を利用して、様々な快楽を味わえる体位で性行為を行うことができる。
【００４１】
さらに、本実施の形態に係るソファ１０にあっては、足配置部１１の先端部には突起部１７が設けられていることから、突起部１７を利用することにより、様々な体位を取り、性行為を楽しむことができる。
例えば、図９に示すように、男性Ｍが突起部１７に頭を乗せた状態で、両足を足配置部１１の両側に垂らし、足配置部１１上にあおむけに横臥し、その上に女性Ｆが、頭を男性Ｍと同じ方向にして下向きに覆いかぶさった状態で性器を接合させ、両者の接合部位の下方に配置された駆動部１５の上下振動を利用しながら、より快感を増幅させつつ性交を行うことができる。
【００４２】
また、図１０に示すように、図９の場合と同様に、男性Ｍが突起部１７に頭を乗せ、両足を一部１１の両側に垂らした状態で足配置部１１にあおむけに横臥し、その上に女性Ｆが、頭を背もたれ部１３の上端部に乗せて上半身を背もたれ部１３に任せるようにしてあおむけになった状態で男性Ｍと接合することにより、両者の接合部位の下方に配置される駆動部１５の振動を利用しながら、より快感を増幅させつつ性交を行うことができる。
【００４３】
さらに、図１１に示すように、図９の場合と同様に、男性Ｍが突起部１７に頭を乗せ、両足を足配置部１１の両側に垂らした状態で足配置部１１上にあおむけに横臥し、その上に女性Ｆが、頭を背もたれ部１３の上端部に寄りかかるようにして下向きに上半身を背もたれ部１３に身を任せるようにした状態で後ろ向きに男性Ｍと接合することにより、両者の接合部位の下方に配置される駆動部１５の振動を利用しながら、より快感を増幅させつつ性交を行うことができる。
なお、図９〜図１１の場合において、男性Ｆと女性Ｍとの位置が反対になっても同様の使用の仕方が可能であり、使用方法には多くのバリエーションが実現できる。
【００４４】
以上説明したように、本実施の形態に係るソファ１０にあっては、利用者が座っている座部１２の座面１２ａが振動するようになるため、利用者の尻部及び腰部付近を振動させて利用者の性行為をサポートすることができ、利用者の性行為による快楽が高まる。
【００４５】
また、本実施の形態に係るソファ１０にあっては、座面１２ａの中でも背もたれ部１３に近い部分が振動するようになるため、利用者の尻部及び腰部付近をより強く振動させることができ、利用者の性行為による快楽がより一層高まる。
【００４６】
さらに、本実施の形態に係るソファ１０にあっては、利用者の尻部及び腰部付近が上下方向に振動するため、上下方向の振動を利用者の尻部及び腰部付近に加えることにより、利用者の性行為による快楽がより一層高まる。
【００４７】
さらにまた、本実施の形態に係るソファ１０にあっては、ソファ本体１４が、開脚して着座できる幅となっており、ソファ本体１４の幅方向に障害物がないため、所定の幅を有すること及び障害物がないことにより、性行為を行いやすい。
【００４８】
その上、本実施の形態に係るソファ１０にあっては、足配置部１１の第１表面部１６に頭部や足部を置く突起部１７を形成しつつ、足配置部１１から座部１２にかけて下り傾斜とし、座部１２を起点として立ち上がる背もたれ部１３が形成可能となるため、利用者の尻部や腰部が座部１２に収まりやすく、座り心地のよいソファ本体１４とすることができる。
【００４９】
また、本実施の形態に係るソファ１０にあっては、ソファ本体１４がやわらかい素材により構成されるため、座り心地のよさをより一層向上させることができる。
【００５０】
さらに、本実施の形態に係るソファ１０にあっては、横たわることにより利用者はリラックスすることができるため、リラックスした状態で性行為に集中することができる。
【００５１】
さらにまた、本実施の形態に係るソファ１０にあっては、必要なボタンだけを搭載したシンプルな操作部２０とすることができるため、性行為への集中力が低下することを回避することができる。
【００５２】
その上、本実施の形態に係るソファ１０にあっては、激しく上下に振動する斬新な設計と、究極の座り心地を追及した曲線美とを兼ね備えた斬新なソファとすることができる。
【００５３】
上述した実施の形態にあっては、以下の変形が可能である。
（１）駆動部１５は、座部１２の座面１２ａの一部を振動させるようにしてもよく、座部１２の座面１２ａの全体を振動させるようにしてもよい。
（２）駆動部１５は、座部１２以外にも、足配置部１１や背もたれ部１３を振動させてもよい。
（３）駆動部１５は、座部１２の座面１２ａを前後方向又は左右方向に振動させてもよい。
（４）ソファ本体１４は、肘掛け部を有していてもよい。
（５）ソファ１０に用いる各部材の寸法は、あくまで例示であり、本実施の形態に限定されるものではない。
【産業上の利用可能性】
【００５４】
本考案はソファに係ることから、広く産業上の利用可能性を有している。
【符号の説明】
【００５５】
１０  ソファ
１１  足配置部
１２  座部
１２ａ  座面
１３  背もたれ部
１４  ソファ本体
１５  駆動部
１６  第１表面部
１７  突起部
１８  第２表面部
１９  第３表面部
２０  操作部
２１  ＯＮ・ＯＦＦボタン
２２  プラス・マイナスボタン
２３  制御部
Ａ  境界
Ｂ  連接部
Ｆ  女性
Ｍ  男性
Ｒ１  座部１２の左端部の上端の弧
Ｒ２  座部１２の左端部の下端の弧
Ｒ３  背もたれ部１３の第３表面部１９の弧
Ｒ４  背もたれ部１３の上端部の弧
Ｒ５  背もたれ部１３の右端部の弧
Ｘ１  足配置部１１の左端部から駆動部１５の中心までの長さ方向の寸法
Ｘ２  背もたれ部１３の右端部から背もたれ部１３の接地面までの長さ方向の寸法
Ｘ３  ソファ１０の長さ方向の寸法
Ｘ４  突起部１７の長さ方向の寸法
Ｘ５  突起部１７の右端部から駆動部１５の中心までの長さ方向の寸法
Ｙ１  ソファ１０の幅方向の寸法
Ｚ１  ソファ１０の高さ方向の寸法
Ｚ２  足配置部１１の左端部の高さ方向の寸法
Ｚ３  座部１２の右端部の高さ方向の寸法
Ｚ４  突起部１７の高さ方向の寸法
【図１】
0003231451.tif 000003
【図２】
0003231451.tif 000004
【図３】
0003231451.tif 000005
【図４】
0003231451.tif 000006
【図５】
0003231451.tif 000007
【図６】
0003231451.tif 000008
【図７】
0003231451.tif 000009
【図８】
0003231451.tif 000010
【図９】
0003231451.tif 000011
【図１０】
0003231451.tif 000012
【図１１】
0003231451.tif 000013